(57)【要約】      （修正有）【課題】製品を陳列する高さを最適化でき、安定した状態で陳列できるようにする。【解決手段】前壁１、側壁２及び後壁３から成る胴部４と底壁５及び天壁６を備え、胴部４に後壁３の一部を残し周方向に延びる上下２本の切目線７ａ，７ｂに挟まれた引裂帯を形成し、後壁３に引裂帯の内端部から天壁６との稜部へ延びる左右２本の切目線１０ａに挟まれた連結帯１０を形成しておき、製品陳列時には、引裂帯の切目線７ａ，７ｂに沿った切り取りに伴い、その切取部の下方及び上方をそれぞれトレー２１及び載置台２２とし、連結帯１０の切目線１０ａに沿って後壁３を切断し、連結帯１０を介して繋がったトレー２１と載置台２２とを相対回転させつつ、連結帯１０を旋回させ、トレー２１の下方に載置台２２を廻して、載置台２２にトレー２１を載せ、トレー２１と載置台２２とを差込片１１の差込口１２への差込により係止する。【選択図】図７
2012136226.tif 000002
【特許請求の範囲】
【請求項１】
前壁(1)、側壁(2)及び後壁(3)から成る胴部(4)と底壁(5)及び天壁(6)を備え、胴部(4)に後壁(3)の一部を残し周方向に延びる上下２本の切目線(7a,7b)に挟まれた引裂帯(7)を形成し、後壁(3)に引裂帯(7)の内端部から天壁(6)との稜部へ延びる左右２本の切目線(10a)に挟まれた連結帯(10)を形成しておき、製品陳列時には、引裂帯(7)の切目線(7a,7b)に沿った切り取りに伴い、その切取部の下方及び上方をそれぞれトレー(21)及び載置台(22)とし、連結帯(10)の切目線(10a)に沿って後壁(3)を切断し、連結帯(10)を介して繋がったトレー(21)と載置台(22)とを相対回転させつつ、連結帯(10)を旋回させ、トレー(21)の下方に載置台(22)を廻して、載置台(22)にトレー(21)を載せ、トレー(21)と載置台(22)とを差込係止する製品陳列用紙箱。
【発明の詳細な説明】
【技術分野】
【０００１】
この発明は、製品の包装及び店頭での陳列に兼用できる紙箱に関するものである。
【背景技術】
【０００２】
従来、この種の紙箱として、下記特許文献１には、図８に示すように、天壁５１の前部から両側壁５２を経て前壁５３の内部まで、前壁５３の中央部を残して連続的に切目線５４を入れ、前壁５３に切目線５４の内端部から下方へ延びる左右２本の切目線５５に挟まれた連結帯５６を形成したものが記載されている。
【０００３】
この紙箱では、包装した製品の陳列に際し、天壁５１、両側壁５２及び前壁５３を切目線５４に沿って切断すると共に、前壁５３を切目線５５に沿って切断する。
【０００４】
そして、図９に示すように、切目線５４の外側の部分である箱本体５７と切目線５４の内側の部分から成る載置台５８とを繋ぐ連結帯５６を旋回させて、箱本体５７を載置台５８に載せ、箱本体５７が少し前下がりに傾いた状態で、箱本体５７の前上部の開口部から製品Ｇが見えるようにする。
【先行技術文献】
【特許文献】
【０００５】
【特許文献１】実開昭４８−３３７３０号公報
【発明の概要】
【発明が解決しようとする課題】
【０００６】
しかしながら、上記のような紙箱では、製品を陳列する高さが限定され、十分な訴求性が得られない場合があるほか、載置台に対して箱本体がずれやすく、安定した陳列ができないという問題もある。
【０００７】
そこで、この発明は、製品を陳列する高さを最適化でき、かつ、安定した状態で陳列できるようにすることを課題とする。
【課題を解決するための手段】
【０００８】
上記課題を解決するため、この発明に係る紙箱は、前壁、側壁及び後壁から成る胴部と底壁及び天壁を備え、胴部に後壁の一部を残し周方向に延びる上下２本の切目線に挟まれた引裂帯を形成し、後壁に引裂帯の内端部から天壁との稜部へ延びる左右２本の切目線に挟まれた連結帯を形成しておき、製品陳列時には、引裂帯の切目線に沿った切り取りに伴い、その切取部の下方及び上方をそれぞれトレー及び載置台とし、連結帯の切目線に沿って後壁を切断し、連結帯を介して繋がったトレーと載置台とを相対回転させつつ、連結帯を旋回させ、トレーの下方に載置台を廻して、載置台にトレーを載せ、トレーと載置台とを差込係止するようにしたのである。
【発明の効果】
【０００９】
この発明に係る紙箱では、引裂帯の幅を調整し、その上縁をなす切目線の高さ方向の位置を適宜設定することにより、陳列時における載置台の高さを変化させて、製品を陳列する高さを状況に応じて最適化することができ、優れた訴求効果を得ることができる。
【００１０】
また、陳列時にトレーと載置台とが連結帯で連結されると共に、差込係止されているので、載置台に対するトレーのずれが防止され、安定した状態で陳列できる。
【図面の簡単な説明】
【００１１】
【図１】この発明の実施形態に係る製品陳列用紙箱のブランクを示す図
【図２】同上の包装状態を前方から示す斜視図
【図３】同上の引裂帯の切取過程の初期段階を前方から示す斜視図
【図４】同上の引裂帯の切取過程の終期段階を後方から示す斜視図
【図５】同上のトレーと載置台の回転過程の初期段階を後方から示す斜視図
【図６】同上のトレーと載置台の回転過程の終期段階を前方から示す斜視図
【図７】同上の陳列状態を前方から示す斜視図
【図８】従来の製品陳列用紙箱の包装状態を前方から示す斜視図
【図９】同上の陳列状態を示す側面図
【発明を実施するための形態】
【００１２】
以下、この発明の実施形態を添付図面に基づいて説明する。
【００１３】
この紙箱は、食品入りの小袋を製品として包装し、店頭で陳列するために使用するものであり、図１に示すような板紙製のブランクから形成される。
【００１４】
このブランクでは、前壁１の一側に側壁２が連設され、他側に側壁２、後壁３及び継代片３ａが順次連設されて、胴部４となる部分が形成されている。前壁１の下端には底壁５が連設され、後壁３の上端には天壁６が連設されている。側壁２の上下端には受止片２ａが、底壁５及び天壁６の先端には閉止片５ａ，６ａがそれぞれ連設されている。
【００１５】
胴部４には、後壁３の中間部を残して横方向に延びる上下２本の切目線７ａ，７ｂに挟まれた引裂帯７が形成されている。引裂帯７は、各側壁２の組立時に後壁３との境界側となる後端から前壁１の中間部までの部分と、後壁３の組立時に側壁２との境界側となる外側端から中間部までの部分とに分割され、前壁１の部分では、切目線７ｂが半円状に上方へ湾曲して、その内側に表示片８が形成されている。
【００１６】
側壁２の切目線７ｂには、波状に湾曲した部分が設けられ、切目線７ｂの波状部分と前壁１へ向けて下方へ傾斜した折目線７ｃとの間に倒止片９が形成されている。切目線７ａは、鉤状の切目が断続するジッパ型とされ、切目線７ｂは、湾曲する切目が断続した波状縁の部分及び表示片８の周縁の部分を除き、ジッパ型とされている。
【００１７】
後壁３には、引裂帯７の内端部から天壁６との稜部へ延びる左右２本の切目線１０ａに挟まれた連結帯１０が形成され、連結帯１０の上下端に入れられた罫線がヒンジとして機能するようになっている。切目線１０ａもまた、ジッパ型とされている。
【００１８】
天壁６には、閉止片６ａとの境界からＵ字状にミシン目の切目線を入れて、その内側に差込片１１が形成され、底壁５には、前壁１との境界に沿ってスリット状の差込口１２が設けられている。
【００１９】
ここで、寸法関係について整理すると、連結帯１０の長さＬは、胴部４の高さＨ１の略１／２とされ、切目線７ａと胴部４の上端との間の高さ方向の寸法が後述する載置台２２の高さＨ２となる。
【００２０】
このようなブランクを組み立てて製品を包装するには、図２に示すように、胴部４を巻き込むように折り曲げて、継代片３ａを反対側の側壁２の内面に貼着し、胴部４を四角筒状とした状態で、下方の受止片２ａを内側へ折り曲げ、底壁５を閉じて、閉止片５ａを後壁３の下部内面沿いに差し込む。そして、箱内に製品を収納した後、上方の受止片２ａを内側へ折り曲げ、天壁６を閉じて、閉止片６ａを前壁１の上部内面沿いに差し込む。
【００２１】
一方、製品陳列時には、図３に示すように、側壁２及び前壁１の引裂帯７を、切目線７ａ，７ｂに沿って切り取り、図４に示すように、後壁３の引裂帯７を、切目線７ａ，７ｂに沿って切り取る。これに伴い、引裂帯７の切取部の下方及び上方は、それぞれトレー２１及び載置台２２となる。
【００２２】
次に、図５に示すように、切目線１０ａに沿って後壁３を切断し、連結帯１０を介して繋がったトレー２１と載置台２２とを相対回転させつつ、連結帯１０を旋回させ、図６に示すように、トレー２１の下方に載置台２２を廻して、連結帯１０をトレー２１の後壁３に沿わせる。
【００２３】
そして、図７に示すように、載置台２２にトレー２１を載せ、差込片１１を切り起こして、差込口１２に差し込むと、トレー２１が高さＨ２の載置台２２に支持されて、製品Ｇが高い位置に並んで見える陳列状態となる。
【００２４】
このとき、倒止片９を内側へ折り曲げ、切目線７ｂが形成する波状縁を製品Ｇの側部に係合させて、製品Ｇの前倒れを防止することができる。また、表示片８の基部を折り曲げて、表示片８を手前に迫り出させることにより、表示片８に印刷されたキャッチコピーを目立たせることができる。
【００２５】
上記のような紙箱では、引裂帯７の幅を調整し、その上縁をなす切目線７ａの高さ方向の位置を適宜設定することにより、陳列時における載置台２２の高さＨ２を変化させて、製品Ｇを陳列する高さを状況に応じて最適化することができるので、優れた訴求効果を得ることができる。
【００２６】
また、陳列時にトレー２１と載置台２２とが連結帯１０で連結されると共に、差込片１１の差込口１２への差し込みにより係止されているので、載置台２２に対するトレー２１のずれが防止され、安定した状態で陳列できる。
【００２７】
なお、上記実施形態では、差込片１１及び差込口１２がそれぞれ載置台２２及びトレー２１の前端に位置するようにしたが、これらは、載置台２２及びトレー２１の両側に位置するようにしてもよい。この場合、差込片１１は、受止片２ａを切り込んで形成し、天壁６を一旦開いて差込片１１を切り起こした後、天壁６を再度閉じるようにすればよい。
【００２８】
また、差込片１１を載置台２２の上部に、差込口１２をトレー２１の下部に設けたが、これとは逆に、差込片１１をトレー２１の下部に、差込口１２を載置台２２の上部に設けるようにしてもよい。
【００２９】
また、胴部４を四角筒状としたが、胴部４は、稜部に面取り部分を有する形状や、両側壁２がそれぞれ複数の面から構成される六角筒状等の形状としてもよい。
【符号の説明】
【００３０】
１  前壁
２  側壁
２ａ  受止片
３  後壁
３ａ  継代片
４  胴部
５  底壁
５ａ  閉止片
６  天壁
６ａ  閉止片
７  引裂帯
７ａ，７ｂ  切目線
７ｃ  折目線
８  表示片
９  倒止片
１０  連結帯
１０ａ  切目線
１１  差込片
１２  差込口
２１  トレー
２２  載置台
Ｇ  製品
【図１】
2012136226.tif 000003
【図２】
2012136226.tif 000004
【図３】
2012136226.tif 000005
【図４】
2012136226.tif 000006
【図５】
2012136226.tif 000007
【図６】
2012136226.tif 000008
【図７】
2012136226.tif 000009
【図８】
2012136226.tif 000010
【図９】
2012136226.tif 000011